(57)【要約】【課題】ドアとドアフレームを連結することにより、ドアの開放角度を制限して、外部からの侵入を防止するドアガードであって、ドアの外側から不正解除されることがないように構成されており、かつ、操作性に優れたドアガードを提供する。【解決手段】レバー（２）をロック位置（Ｌ）に回動させた状態において、係合溝部（２２３）の幅広部（２２３ｂ）に進入することにより受け具（３）に係合して、ドア（Ｄ）が閉鎖された状態でもレバー（２）がアンロック位置（Ｕ）に回動させられないように保持する保持部（２３）を設ける。【選択図】          図３
2005009083.tif 000002
【特許請求の範囲】
【請求項１】
ドア又はドア回りのいずれか一方に設けられる受け具と、
他方に設けられてロック位置とアンロック位置との間で回動自在に支持されるレバーと、を備えてなり、
前記レバーには、回動支持部側から自由端側に向けて延びる係合溝部が形成されており、
前記係合溝部は、前記回動支持部側に形成される幅広部と、前記幅広部に連続的に形成されて前記幅広部から前記自由端側に向けて延びる幅狭部と、で構成されており、
前記ドアを閉鎖させた状態で、前記レバーを前記ロック位置に回動させることにより、前記受け具が前記幅広部に挿通され、
前記受け具が前記幅広部に挿通された状態で、前記ドアを開放操作することにより、前記受け具が前記幅狭部に係合し、前記レバーが前記アンロック位置側に回動しないように保持され、
前記ドアを所定角度まで開放させた状態で、前記受け具が前記幅狭部の終端部に当接して、前記ドアの更なる開放が阻止されるドアガードであって、
前記レバーを前記ロック位置に回動させた状態において、前記幅広部に進入することにより前記受け具に係合して、前記ドアが閉鎖された状態でも前記レバーが前記アンロック位置の側に回動させられないように保持する保持部を設けたことを特徴とするドアガード。
【請求項２】
前記保持部は、前記幅広部に進入する方向に常時付勢されていることを特徴とする請求項１に記載のドアガード。
【請求項３】
前記レバーには、前記保持部に対して直接的に負荷が加えられても、前記保持部が前記幅広部から退出させられないように、前記保持部をロックするロック機構が設けられていることを特徴とする請求項１又は２に記載のドアガード。
【請求項４】
前記レバーには、ロック解除部が設けられており、前記ロック解除部を操作することにより、前記ロック機構による前記保持部のロックが解除されるとともに、前記保持部が前記幅広部から退出させられることを特徴とする請求項３に記載のドアガード。
【請求項５】
前記ロック解除部の操作部は、前記レバーの前記自由端側に設けられていることを特徴とする請求項４に記載のドアガード。
【請求項６】
前記操作部は、その周囲がカバーで覆われており、前記カバーには、前記自由端側に向けて開口するカバー開口部が形成されていることを特徴とする請求項５に記載のドアガード。
【請求項７】
前記ロック解除部は、前記操作部が前記回動支持部側から前記自由端側に向かう方向に引っ張られることにより、前記ロック機構の作用を解除することを特徴とする請求項５又は６に記載のドアガード。
【請求項８】
前記レバーには、前記ロック解除部により前記幅広部から退出させられた保持部を、前記幅広部から退出させられた状態にロックする退出ロック部が設けられており、前記退出ロック部は、前記レバーを前記ロック位置に回動させることによりロック解除することを特徴とする請求項４乃至７のいずれかに記載のドアガード。
【請求項９】
前記レバーには、前記レバーをロック位置に回動させた状態で前記ドアを開放させることにより、前記受け具に係合して前記ドアを開放状態に保持するドア保持部が備えられていることを特徴とする請求項１乃至８のいずれかに記載のドアガード。
【発明の詳細な説明】
【０００１】
【発明の属する技術分野】
本発明は、ドアが完全に開放されることを阻止して不法侵入を防ぐドアガードに関し、特にドアの外側から不正解除されることがないように構成されるドアガードに関する。
【０００２】
【従来の技術】
ドアガードは、ドアとドアフレーム等のドア回りをレバーやチェーンで連結することにより、来客応対時にドアの開放角度を制限して、訪問者が強引に屋内へ侵入することを防止するために使用される。このようなドアガードとしては、例えば、図９（ａ）に示されるように、ドアＤに固定される支持部５１に回動支持されるＵ字状の係合レバー５２を、壁Ｗに嵌め込まれるドアフレームＦに固定される受け具５３に係合させておき、ドアＤを開放させたときに係合レバー５２の自由端側の終端部に受け具５３が当接して、ドアＤの開放角度を制限するドアガード５が一般的に使用されている（例えば、特許文献１参照。）。
【０００３】
あるいは、図９（ｂ）に示されるように、ドアＤに固定される係合部６１に対して、係合ピン６２を、幅広の係合穴６１ａから挿通させて幅狭の係合溝６１ｂに係合させることにより、係合ピン６２に連結されるチェーン６３を介してチェーン支持部６４が取り付けられるドアフレームＦと連結するようにしたドアガード６が使用されている。
【０００４】
【特許文献１】
特開２００３−５６２３８号公報。
【０００５】
【発明が解決しようとする課題】
ところで、ドアガードは、来客応対時におけるドア開放角度の制限という使用目的から離れて、ドアを開放させた状態で屋内の空気を入れ替える際に、ロックの代わりとして使用されることもある。しかしながら、上記のレバー式のドアガード５の場合、係合レバー５２をドアフレームＦ側からドアＤ側に回動させるだけで容易に解除することができるので、道具を予め用意すれば、閉じられたドアの外側からでも容易に解除される可能性がある。
【０００６】
また、上記のドアガード６の場合、係合ピン６２が係合溝６１ｂから容易に外れないようにするため、係合穴６１ａに抜止片６５が設けられており、抜止解除ボタン６６を操作しなければ解除されないようにされているものの、これらがドアの外側から見えるところに配置されており、やはり道具を使用することにより容易に解除される可能性がある。
【０００７】
本発明は、斯かる実情に鑑み、ドアの外側から不正解除されることがないように構成されており、かつ、操作性に優れたドアガードを提供しようとするものである。
【０００８】
【課題を解決するための手段】
請求項１の発明は、ドア又はドア回りのいずれか一方に設けられる受け具と、他方に設けられてロック位置とアンロック位置との間で回動自在に支持されるレバーとを備えてなり、前記レバーには、回動支持部側から自由端側に向けて延びる係合溝部が形成されており、前記係合溝部は、前記回動支持部側に形成される幅広部と、前記幅広部に連続的に形成されて前記幅広部から前記自由端側に向けて延びる幅狭部とで構成されており、前記ドアを閉鎖させた状態で、前記レバーを前記ロック位置に回動させることにより、前記受け具が前記幅広部に挿通され、  前記受け具が前記幅広部に挿通された状態で、前記ドアを開放操作することにより、前記受け具が前記幅狭部に係合し、前記レバーが前記アンロック位置側に回動しないように保持され、前記ドアを所定角度まで開放させた状態で、前記受け具が前記幅狭部の終端部に当接して、前記ドアの更なる開放が阻止されるドアガードであって、前記レバーを前記ロック位置に回動させた状態において、前記幅広部に進入することにより前記受け具に係合して、前記ドアが閉鎖された状態でも前記レバーが前記アンロック位置の側に回動させられないように保持する保持部を設けたことを特徴とするドアガードを提供する。
【０００９】
請求項１の発明によれば、下記のような作用が得られる。幅広部は、レバーの係合溝部に対して受け具を係脱させるための出入口であるが、そこに保持部を進入させて受け具と係合させるので、レバーをアンロック側に回動させること（受け具が係合溝部から外れること）を確実に阻止するものである。したがって、従来のレバー式のドアガードのように、レバーを倒すだけでは解除できず、外部からの不正解除が行い難いものである。
【００１０】
請求項２の発明は、前記保持部は、前記幅広部に進入する方向に常時付勢されていることを特徴とする請求項１に記載のドアガードを提供する。
【００１１】
請求項２の発明によれば、請求項１の発明の作用に加えて、下記のような作用が得られる。保持部が幅広部に進入する方向に常時付勢されているため、レバーをロック位置に回動させたときに保持部を受け具に対して確実に係合させ、また、ドアガードの不正解除をし難くするものである。
【００１２】
請求項３の発明は、前記レバーには、前記保持部に対して直接的に負荷が加えられても、前記保持部が前記幅広部から退出させられないように、前記保持部をロックするロック機構が設けられていることを特徴とする請求項１又は２に記載のドアガードを提供する。
【００１３】
請求項３の発明によれば、請求項１又は２の発明の作用に加えて、下記のような作用が得られる。保持部に直接的に負荷を加えても幅広部から退出させることができないので、幅広部がドアの外側から見易い位置にあっても、ドアガードの不正解除が行われ難いものである。
【００１４】
請求項４の発明は、前記レバーには、ロック解除部が設けられており、前記ロック解除部を操作することにより、前記ロック機構による前記保持部のロックが解除されるとともに、前記保持部が前記幅広部から退出させられることを特徴とする請求項３に記載のドアガードを提供する。
【００１５】
請求項４の発明によれば、請求項３の発明の作用に加えて、下記のような作用が得られる。ロック解除部を操作するだけで、保持部のロック解除と幅広部からの退出が行われるので、取扱いが容易になるものである。
【００１６】
請求項５の発明は、前記ロック解除部の操作部は、前記レバーの前記自由端側に設けられていることを特徴とする請求項４に記載のドアガードを提供する。
【００１７】
請求項５の発明によれば、請求項４の発明の作用に加えて、下記のような作用が得られる。ロック解除の操作部が、ドアの外側から最も手の届き難いレバーの自由端側に設けられているので、ドアの外側からの不正操作が行われ難いものである。
【００１８】
請求項６の発明は、前記操作部は、その周囲がカバーで覆われており、前記カバーには、前記自由端側に向けて開口するカバー開口部が形成されていることを特徴とする請求項５に記載のドアガードを提供する。
【００１９】
請求項６の発明によれば、請求項５の発明の作用に加えて、下記のような作用が得られる。ロック解除の操作部をカバーで覆うので、ドアの外側からの不正操作が一層行われ難いものである。また、操作部にアクセスするためのカバー開口部はレバーの自由端側に向けて形成されているので、ドアの外側から直視することができず、その点からも不正操作が行い難い。
【００２０】
請求項７の発明は、前記ロック解除部は、前記操作部が前記回動支持部側から前記自由端側に向かう方向に引っ張られることにより、前記ロック機構の作用を解除することを特徴とする請求項５又は６に記載のドアガードを提供する。
【００２１】
請求項７の発明によれば、請求項５又は６の発明の作用に加えて、下記のような作用が得られる。操作部はドアの内側に向けて引くことにより解除されるので、ドアの内側からは操作し易い一方、ドアの外側からは、より手の届き難いところへ動かさなければならず不正操作し難いものである。
【００２２】
請求項８の発明は、前記レバーには、前記ロック解除部により前記幅広部から退出させられた保持部を、前記幅広部から退出させられた状態にロックする退出ロック部が設けられており、前記退出ロック部は、前記レバーを前記ロック位置に回動させることによりロック解除することを特徴とする請求項４乃至７のいずれかに記載のドアガードを提供する。
【００２３】
請求項８の発明によれば、請求項４乃至７のいずれかの発明の作用に加えて、下記のような作用が得られる。退出ロック部で保持部を幅広部から退出した状態にロックできるので、操作が一層行い易いものである。しかも、レバーをロック位置に回動させるだけで退出ロック部のロックが解除されるので、取扱いが簡単で、受け具に保持部を係合し忘れることがないものである。
【００２４】
請求項９の発明は、前記レバーには、前記レバーをロック位置に回動させた状態で前記ドアを開放させることにより、前記受け具に係合して前記ドアを開放状態に保持するドア保持部が備えられていることを特徴とする請求項１乃至８のいずれかに記載のドアガードを提供する。
【００２５】
請求項９の発明によれば、請求項１乃至８のいずれかの発明の作用に加えて、下記のような作用が得られる。ドアガードを空気入れ替えのロック代わりに使う場合に、ドアとドア回りの間に物を挟み込んだりしなくても、ドアを開放状態に保持することができるものである。
【００２６】
【発明の実施の形態】
以下、本発明の実施の形態を、添付図面を参照しつつ説明する。図１乃至図４は、本発明の実施の形態を示す図である。図１は、ドアガード１のレバー２の組立図、図２は、レバー２の内部作動を説明する図である。また、図３は、ドアガード１の操作方法を説明する図、図４は、ドアの外側から不正解除が行われた場合の防御について説明する図である。
【００２７】
〔ドアガード１の概要〕
本実施形態に係るドアガード１は、図３に示されるように、外開きのドアＤに回動自在に取付支持されるレバー２と、ドアＤが嵌合するドアフレームＦに取り付けられる受け具３とからなる。レバー２は、ドアＤに沿うように折り畳まれるアンロック位置Ｕ（図３（ａ）（ｂ））と、ドアフレームＦに沿うように展開されるロック位置Ｌ（図３（ｃ）（ｄ））との間で回動させられるようになっている。
【００２８】
レバー２は、ドアＤを閉鎖させた状態でレバー２をロック位置Ｌに回動させて、セットすることにより、係合溝部２２３が受け具３に係合可能な状態となる。そして、この係合可能な状態からドアＤを開放操作することにより、レバー２の係合溝部２２３が受け具３に係合して、レバー２がアンロック位置Ｕ側に回動しないように保持される。さらに、ドアＤを所定角度まで開放させることにより、受け具３がレバー２の係合溝部２２３の終端部２２３ｃが当接して、ドアＤの更なる開放が阻止されるようになっている。
【００２９】
〔レバー２〕
レバー２は、図１に示されるように、主として、支持部２１と、支持部２１に回動自在に支持される本体部２２と、本体部２２にスライド自在に支持されるスライド部２３と、本体部２２にスライド自在に支持された状態でスライド部２３に係合するロック解除部２４、支持部２１に対して固定されることにより本体部２２に支持されるスライド部２３及びロック解除部２４を覆う蓋部２５、及びこれらに被せられるカバー部２６から構成される。
【００３０】
〔支持部２１〕
支持部２１は、固定板２１１の固定穴２１１ａを介してドアＤに取付固定される。固定板２１１には、本体部２２を回動自在に支持する軸受部２１２が上下一対となるように形成されている。各軸受部２１２には、上下に貫通する同心の軸受穴２１２ａが形成されており、ピン状の支持軸２１３が、軸受穴２１２ａ及び後述する本体部２２の回動支持穴２２４ａに挿入された状態で係止リング２１４に係止されるようになっている。
【００３１】
固定板２１１における軸受部２１２の近傍には、水平方向に凹設されるスプリング支持穴２１１ｂが形成されている。スプリング支持穴２１１ｂの内部には、保持スプリング２１５及び保持ボール２１６が挿入されており、保持ボール２１６が、本体部２２の回動支持部２２４の外周部に形成される保持溝２２４ｂに嵌合する。これにより、本体部２２がアンロック位置Ｕにおいて所定の保持力で保持され、レバー２が不意にロック位置Ｌ側に回動しないようにされている。
【００３２】
〔本体部２２〕
本体部２２は、プレート部２２１と、プレート部２２１の上下両端に形成される側壁部２２２と、プレート部２２１の長手方向の一端から延びるＵ字状の係合溝部２２３と、係合溝部２２３が形成されるプレート部２２１の一端に形成される回動支持部２２４と、自由端部２２８側に形成される切欠部２２５とで構成される。各側壁部２２２には、スプリング溝２２２ａ、ボール溝２２２ｂ、抜止部２２２ｃが上下で対向するように形成されている。
【００３３】
回動支持部２２４側から自由端側に向けて延びる係合溝部２２３は、回動支持部２２４側に形成される幅広部２２３ｂと、幅広部２２３ｂに連続的に形成されて幅広部２２３ｂから自由端側に向けて延びる幅狭部２２３ａとで構成される。幅広部２２３ｂは、レバー２と組合せられる受け具３の大径部３ｃが挿通可能な上下幅に設定されており、幅狭部２２３ａは、受け具３の大径部３ｃは挿通不能だが、軸部３ｂは係合可能となる上下幅に設定されている。
【００３４】
ドアＤが閉鎖された状態では、図３に示されるように、幅広部２２３ｂが受け具３に対応する位置にあるので、レバー２をロック位置Ｌ側に回動させることにより、受け具３の大径部３ｃ及び軸部３ｂが幅広部２２３ｂに挿通される（図３（ｃ））。受け具３が幅広部２２３ｂに挿通された状態において、ドアＤを開放操作すると、レバー２が動くことにより受け具３が係合溝部２２３の中で幅狭部２２３ａの方に相対スライドし、レバー２は、幅狭部２２３ａの上下縁部が大径部３ｃに引っ掛ってアンロック位置Ｕ側への回動しないように保持されるものである。この保持状態において、ドアＤの開放操作を継続させると、受け具３が係合溝部２２３の終端部２２３ｃに当接して、ドアＤの更なる開放が阻止されることになる。
【００３５】
〔スライド部２３〕
スライド部２３は、プレート状部材であって、図２に示されるように、本体部２２のプレート部２２１とその上下の側壁部２２２とで形成される凹部に収容され、本体部２２に対してスライド自在に支持される。スライド部２３には、係合溝部２２３に対応する水平方向の長さと、幅狭部２２３ａと同じ上下幅とを有するＵ字状のスライド溝部２３ａが備えられている。スライド溝部２３ａは、図２に示されるように、本体部２２にスライド部２３が収容されたときに、係合溝部２２３に重ね合わせられるようになっている。
【００３６】
スライド部２３の上下端部には、それぞれスプリング支持部２３ｂ、ボール押圧部２３ｃが形成されている。スプリング支持部２３ｂは、本体部２２のスプリング溝２２２ａに係合して、スライド部２３を回動支持部２２４側に付勢するスライドスプリング２２６の支持部となる。ボール押圧部２３ｃは、スライド部２３に対して、スライド部２３を自由端部側へ向けてスライドさせようとする力が、外部から直接的に加えられる際に、ボール溝２２２ｂやボール溝２２２ｂに入れられるロックボール２２７と協働してスライド部２３のスライドをロックするロック機構を構成する。このロック機構は、ドアＤの外側からドアガード１が不正解除されることを防止するために備えられるために装備されるものであるが、詳しくは後述する。
【００３７】
スライド部２３において、回動支持部２２４側の先端部２３ｆは、スライドスプリング２２６により幅広部２２３ｂに進入する方向（回動支持部２２４に向かう方向）に付勢され、図３（ｄ）に示されるように、幅広部２２３ｂに挿通された受け具３の軸部３ｂに係合して、レバー２の本体部２２がアンロック位置Ｕ側に回動させられないように保持する。なお、スライド部２３の自由端側には、ロックスプリング２３１に係合するスプリング係合部２３ｄが突設されている。
【００３８】
〔ロック解除部２４〕
ロック解除部２４は、ロック機構によるスライド部２３のロックを解除するプレート状部材であって、スライド部２３に対し自由端部２２８側に配置され、図３（ａ）に示されるように、スライド部２３と同様、本体部２２のプレート部２２１とその上下の側壁部２２２とで形成される凹部に収容され、本体部２２に対してスライド自在に支持されている。ロック解除部２４には、ロックスプリング２３１を係止するスプリング係止部２４ａが形成されており、ロックスプリング２３１により、ロック解除部２４がスライド部２３側に引き寄せられるようになっている。
【００３９】
ロック解除部２４には、スライド部２３側に向けて延びる角根元部２４ｃと、角根元部２４ｃから更に延びて角根元部２４ｃより細い角先端部２４ｂが形成されている。角先端部２４ｂと側壁部２２２の隙間は、上述のロックボール２２７の直径より大きく、角根元部２４ｃと側壁部２２２の隙間は、ロックボール２２７の直径より小さく設定されている。なお、ロック解除部２４がスライド部２３側に引き寄せられた状態では、角先端部２４ｂがスライド部２３に形成される角収容部２３ｇに収容されているため、ロックボール２２７は、もっぱら角根元部２４ｃと接するようになっている。
【００４０】
上記の他に、ロック解除部２４には、レバー２の自由端部２２８側に操作部２４ｅが設けられており、また、操作部２４ｅがレバー２上において回動支持部２２４側から自由端部２２８側に向かう方向に引っ張られる際に、本体部２２から抜けないように抜止部２２２ｃと係合する抜止片２４ｄが設けられている。
【００４１】
〔蓋部２５〕
蓋部２５は、本体部２２に収容されるスライド部２３及びロック解除部２４が脱落しないように覆うプレート状部材であり、取付穴２５ａ及びネジ穴２２２ｄを介して、取付ネジ２５１で本体部２２に固定される。なお、蓋部２５には、係合溝部２２３に係合される受け具３と干渉することがないように、係合溝部２２３より一回り大きい切欠溝２５ｂが形成されている。また、操作部２４ｅの操作時に手が当たらないように切欠部２５ｃが形成されている。
【００４２】
〔カバー部２６〕
カバー部２６は、本体部２２、スライド部２３、ロック解除部２４及び蓋部２５の組立体に被せられて、ロック解除部２４の操作部２４ｅの周囲を覆うことにより、ドアＤの外側から操作部２４ｅの不正操作が行われ難いようにするものである。カバー部２６は、上記の組立体に嵌合される係合枠２６１と、係合枠２６１に連結されるロック解除部カバー２６２からなり、取付穴２６１ａ及びネジ穴２２２ｄを介して、取付ネジ２６３で取付固定される。また、ロック解除部カバー２６２には、操作部２４ｅにアクセスするためのカバー開口部２６２ａが、レバー２の自由端側に向けて開口形成されている。
【００４３】
〔ロック機構〕
ここで、スライド部２３をロックするロック機構について説明するとともに、ロック機構によるロックをロック解除部２４が解除する動作について説明する。ロック機構は、本体部２２のボール溝２２２ｂ、スライド部２３のボール押圧部２３ｃ、ロックボール２２７、及びロック解除部２４の角根元部２４ｃにより構成される。
【００４４】
スライド部２３に直接負荷が与えられることにより、スライド部２３が自由端部２２８側にスライドさせられようとする場合には、図４（ａ）に示されるように、スライド部２３のボール押圧部２３ｃがロックボール２２７を押圧することになる。ロックボール２２７は、側壁部２２２との隙間がロックボール２２７の直径よりも狭い角根元部２４ｃに接しているので、ボール溝２２２ｂから抜け出ることができない。これにより、スライド部２３が自由端部２２８側にスライドしないようにロックされるものである。
【００４５】
〔ロック解除部によるロックの解除〕
上述のように、スライド部２３に、スライド部２３をスライドさせようとする力が作用する場合には、ロック機構によるロックがなされるが、ロック解除部２４を介してスライド部２３をスライドさせようとする力を作用させる場合には、ロック機構によるロックが解除されるようになっている。図２（ａ）に示される状態から、ロック解除部２４の操作部２４ｅを自由端側に引くと、図２（ｂ）に示されるように、ロック解除部２４がロックスプリング２３１を押し縮めつつ、スライド部２３と離れるようにスライドする。これにより、角先端部２４ｂが角収容部２３ｇから引き出されて、側壁部２２２あるいはボール溝２２２ｂと対向する状態となる。
【００４６】
角先端部２４ｂと側壁部２２２との隙間は、上述したようにロックボール２２７の直径よりも広く設定されている。したがって、図２（ｂ）に示される状態から、ロック解除部２４をさらに引いても、ロックボール２２７は、角先端部２４ｂと側壁部２２２との間に嵌まり込むことになり、ボール溝２２２ｂには引っ掛からない。これによって、図２（ｃ）に示されるように、ロック解除部２４がロックスプリング２３１を介してスライド部２３をスライドさせ、スライド部２３の先端部２３ｆが、係合溝部２２３の幅広部２２３ｂから退出することになる。これにより、受け具３の大径部３ｃは、幅広部２２３ｂに対して挿通自在な状態となる。
【００４７】
〔ドアガード１の操作方法〕
上記ドアガード１は、以下のように操作される。まず、図３（ａ）に示されるように、アンロック位置Ｕに保持されるレバー２の操作部２４ｅを、レバー２の自由端部側（矢印方向）に引く。これにより、図３（ｂ）に示されるように、スライド部２３の先端部２３ｆが幅広部２２３ｂから退出して、幅広部２２３ｂに受け具３の大径部３ｃが挿通可能な状態となる。
【００４８】
さらに、操作部２４ｅを引いたままで、レバー２をロック位置Ｌに回動させて、図３（ｃ）に示されるように、ドアフレームＦに固定される受け具３を幅広部２２３ｂに挿通させる。そして、操作部２４ｅを離すことにより、スライドスプリング２２６の付勢力によって、図３（ｄ）に矢印で示されるように、スライド部２３がスライドする。スライド部２３の先端部２３ｆは再び幅広部２２３ｂに進入し、受け具３の軸部３ｂに係合して、レバー２はロック位置Ｌ側に回動しないように保持される。なお、レバー２をアンロック位置Ｕに戻す場合には、上記と逆の操作を行うようにすれば良い。
【００４９】
〔上記実施形態の特徴点〕
上記実施形態に係るドアガード１は、上記のように構成される結果、下記のような特徴点を有している。
【００５０】
第１に、レバー２をロック位置Ｌに回動させた状態において、スライド部２３の先端部２３ｆが幅広部２２３ｂに進入することにより、幅広部２２３ｂに挿通された受け具３の軸部３ｂに係合して、レバー２がアンロック位置Ｕに回動することを阻止するという特徴点を有している。幅広部２２３ｂは、レバー２を係合溝部２２３に係脱させるための出入口となるものであるが、そこにスライド部２３が進入して受け具３と係合するので、レバー２がアンロック位置Ｕ側に回動させられないように保持されることとなる。したがって、ドアＤの外側からドアガード１の不正解除を行うことは確実に阻止されることとなるものである。
【００５１】
第２に、スライド部２３は、スライドスプリング２２６の付勢力によって、先端部２３ｆが、幅広部２２３ｂに進入する方向に常時付勢されるという特徴点を有している。これにより、レバー２をロック位置Ｌに回動させたときに、特別な操作を行わなくても、スライド部２３が付勢力で自動的に幅広部２２３ｂに進入させられるので、スライド部２３が受け具３に対して確実に係合することになる。また、スライド部２３が受け具３に係合するように付勢されているため、これが、ドアＤの外側からドアガード１を不正解除する場合の障害となって、不正解除をし難くすることにもなる。
【００５２】
第３に、スライド部２３は、ロック解除部２４を操作することによってのみ解除されるロック機構でロックされており、直接的に先端部２３ｆが幅広部２２３ｂから退出させられる方向に力が加えられても、先端部２３ｆが幅広部２２３ｂから退出させられることがないという特徴点を有している。幅広部２２３ｂがドアＤの外側から見え易い位置にある場合には、図４（ａ）に矢印で示されるように、スライド部２３に直接的に力を加えて不正解除を行われるケースが考えられるが、これを防止して不正解除が行われ難くするものである。
【００５３】
第４に、レバー２には、ロック解除部２４が設けられており、ロック解除部２４を操作することによって、ロック機構によるロックの解除、及びスライド部２３の幅広部２２３ｂからの退出が行われるという特徴点を有している。これにより、ロック解除部２４を操作するだけで、スライド部２３のロック解除のみならず、スライド部２３の幅広部２２３ｂからの退出が行われるので、レバー２の取扱いが簡便で容易になるものである。
【００５４】
第５に、ロック解除部２４の操作部２４ｅが、レバー２の自由端部２２８に設けられているという特徴点を有している。レバー２の自由端部２２８は、図４（ｂ）に示されるように、ドアＤの外側から最も手の届き難いところであるので、操作部２４ｅの不正操作を確実に防止できるものである。
【００５５】
第６に、ロック解除部２４の操作部２４ｅは、周囲がカバー部２６で覆われており、カバー部２６の外側から操作部２４ｅにアクセスするカバー開口部２６２ａは、レバー２の自由端部２２８の先端側に向けて形成されているという特徴点を有している。これにより、図４（ｂ）に示されるように、ドアＤの外側から、操作部２４ｅに触れたり、操作部２４ｅを直視したりすることはできず、操作部２４ｅの不正操作がより行われ難くなっている。
【００５６】
第７に、操作部２４ｅをドアＤの内側に向けて引くことにより、ロック機構のロック解除が行われるという特徴点を有している。これにより、操作部２４ｅを引っ張ってレバー２をそのまま回動させるだけで、レバー２をロック位置Ｌ又はアンロック位置Ｕにセットできるので、ドアＤの内側からレバー２を操作することが容易に行われる。一方、ドアＤの外側からでは、操作部２４ｅを手の届かない奥の方にスライドさせる必要があるため、不正操作は非常に難しいものである。
【００５７】
〔上記実施形態の変形例〕
ドアガード１には、図５〜図８に示されるような変更点を加えてもよい。なお、図５〜図８において、図１〜４と共通する部位には、同じ符号を使用し、詳しい説明は省略する。
【００５８】
〔挟持部２７〕
挟持部２７は、蓋部２５の嵌合穴２５ｅに、挟持片支持軸２７１と挟持片ストッパ２７２を取り付け、挟持片支持軸２７１で一対の挟持片２７３を支持することにより設けられる。挟持片２７３に形成されるスプリング係合軸２７３ａに挟持スプリング２７４を係合することにより、挟持片２７３は閉じ方向に付勢されることになる。
【００５９】
挟持部２７は、図６（ａ）に示されるように、レバー２を受け具３に係合させた状態で、ドアＤを開放させることにより、図６（ｂ）に示されるように、挟持部２７が受け具３の大径部３ｃに係合して、ドアＤを開放状態に保持するドア保持部として機能するものである。したがって、ドアガード１を空気入れ替え時のロックとして使用する場合には、ドアＤとドアフレームＦとの間に物を挟み込んだりしなくても、ドアを開放状態に保持することができるものである。なお、開放状態に保持されたドアＤを閉鎖方向に操作することにより、大径部３ｃが挟持スプリング２７４に抗して挟持部２７から外れ保持が解除されるようになっている。
【００６０】
〔スライド支持板２８〕
スライド支持板２８は、蓋部２５に取り付けられた挟持片支持軸２７１及び挟持片ストッパ２７２に取付ネジ２８１で取付部２８ａが固定される。スライド支持板２８は、可撓性の素材で形成されており、可動部２８ｃが所定の付勢力をもって本体部２２側に押し付けられている。可動部２８ｃの中途部には、本体部２２に向けて突出するロック爪２８ｄが形成されており、蓋部２５に形成されるロック爪挿入部２５ｄに係合されている。
【００６１】
そして、ロック解除部２４を操作することにより、スライド部２３が幅広部２２３ｂから退出したときには、ロック爪２８ｄが、図７（ａ）に示されるように、スライド部２３に形成されるスライドロック部２３ｅに係合して、スライド部２３が幅広部２２３ｂに再び進入することがないようにロックするものである。
【００６２】
レバー２をロック位置Ｌに回動させるときには、受け具３にスライド部２３を係合させるためにロック爪２８ｄによるロックを解除する必要があるが、図７（ｂ）に示されるように、可動部２８ｃの先端に形成される当接部２８ｅが受け具３の大径部３ｃに押される形で後退し、それに伴ってロック爪２８ｄがスライドロック部２３ｅから外れるので、特別な操作をする必要はないものである。なお、２８ｂは、挟持スプリング２７４を覆うためのスプリングカバーである。
【００６３】
上記のように、挟持部２７やスライド支持板２８を追加する場合に、これらを剥き出しにしたままでは、故障する原因となったり、操作する手にケガさせたりするおそれがあるため、図５に示されるように、レバー２の全体を覆うようにしたカバー２９を設けておくことが好ましい。
【００６４】
〔上記変形例に係るドアガード１の操作方法〕
上記変形例に係るドアガード１は、以下のように操作される。まず、レバー２はアンロック位置Ｕに回動された状態では、スライド支持板２８によって、スライド部２３の先端部２３ｆが幅広部２２３ｂから退出し、幅広部２２３ｂに受け具３の大径部３ｃが挿通可能とされているので、図８（ａ）に示されるように、レバー２をロック位置Ｌ側に回動させるだけの操作を行うだけで良い。そして、レバー２がロック位置Ｌに回動させられると、当接部２８ｅが受け具３の先端部に押される形で後退し、ロック爪２８ｄがスライドロック部２３ｅから外れるので、幅広部２２３ｂにスライド部２３が進入し、操作部２４ｅはレバー２内に引っ込むことになる（図８（ｂ））。したがって、受け具３にスライド部２３を係合させることを忘れることがないものである。
【００６５】
逆に、レバー２をアンロック位置Ｕに戻す場合には、図８（ｃ）に示されるように、カバー開口部２９ａから操作部２４ｅを引き出せば、スライド部２３はロック爪２８ｄにより幅広部２２３ｂから退出した状態にロックされるので、後は、図８（ｄ）に示されるように、レバー２をアンロック位置Ｕ側に回動させるだけの操作をすれば良い。したがって、スライド支持板２８を備えない場合と比べても、操作が容易に行えるものである。
【００６６】
〔その他の変形例〕
上記実施形態では、屋外側に向けてドアが回動する外開きタイプで説明したが、レバー２をドアフレームＦ側に取り付け、受け具３を形状変更してドアＤ側に取り付けることにより、屋内側に向けてドアが回動する内開きタイプにも本発明を適用することが可能である。
【００６７】
上記実施形態では、スライド部２３をロックするロックボールは、球形のものを使用したが、円柱形やその他の形状のものを使用するようにしても良い。
【００６８】
尚、本発明のドアガードは、上記した実施の形態に限定されるものではなく、本発明の要旨を逸脱しない範囲内において種々変更を加え得ることは勿論である。
【００６９】
【発明の効果】
以上、説明したように本発明の請求項１〜９記載のドアガードによれば、レバーをロック位置に回動させた状態において、係合溝部の幅広部に進入することにより受け具に係合して、ドアが閉鎖された状態でもレバーがアンロック位置に回動させられないように保持する保持部を設けたので、レバーをアンロック側に回動させることを確実に阻止できるという優れた効果を奏し得る。
【図面の簡単な説明】
【図１】本発明の実施形態に係るドアガード（レバー）の組立図。
【図２】本発明の実施形態に係るドアガードの内部作動を説明する図。
【図３】本発明の実施形態に係るドアガードの操作方法を説明する図。
【図４】本発明の実施形態に係るドアガードに対して、ドアの外側から不正解除が行われる場合の防御について説明する図。
【図５】変形例に係るドアガード（レバー）の組立図。
【図６】変形例に係るドアガードのドア保持部の作動を説明する図。
【図７】変形例に係るドアガードの退出ロック部の作動を説明する図。
【図８】変形例に係るドアガードの操作方法を説明する図。
【図９】従来のドアガードを示す図。
【符号の説明】
１    ドアガード
２    レバー
３    受け具
２３  スライド部（保持部）
２４    ロック解除部
２６    カバー部
２７    挟持部（ドア保持部）
２８    スライド支持板（退出ロック部）
２２３          係合溝部
２２３ｂ    幅広部
２２３ａ    幅狭部
２２３ｃ    終端部
２２４      回動支持部
２２８      自由端部
２６２ａ    カバー開口部
Ｄ    ドア
Ｆ    ドアフレーム（ドア回り）
Ｌ    ロック位置
Ｕ    アンロック位置
【図１】
2005009083.tif 000003
【図２】
2005009083.tif 000004
【図３】
2005009083.tif 000005
【図４】
2005009083.tif 000006
【図５】
2005009083.tif 000007
【図６】
2005009083.tif 000008
【図７】
2005009083.tif 000009
【図８】
2005009083.tif 000010
【図９】
2005009083.tif 000011